(57)【要約】【課題】配線が容易で相バランスの崩れないプラグイン開閉器用の送り端子台を提供する。【解決手段】端子台本体１にプラグイン開閉器を複数個並列に接続可能にするとともに、前記プラグイン開閉器の半数をＬ１―Ｎ相に残り半数をＬ２―Ｎ相の接続できるＮ相の差込バー２１、Ｌ１相の差込バー２２、Ｌ２相の差込バー２３を備える。【選択図】    図１
2005019208.tif 000002
【特許請求の範囲】
【請求項１】
端子台本体にプラグイン開閉器を複数個並列に接続可能にするとともに、前記プラグイン開閉器の半数をＬ１―Ｎ相に残り半数をＬ２―Ｎ相の接続できるＮ相の差込バー、Ｌ１相の差込バー、Ｌ２相の差込バーを備えたことを特徴とするプラグイン開閉器用の送り端子台。
【請求項２】
Ｎ相の差込バーを端子台本体の左右方向の全域に亘り配置し、Ｌ１相の差込バーとＬ２相の差込バーを左右に半分ずつに分け配置した請求項１に記載のプラグイン開閉器用の送り端子台。
【請求項３】
主幹からの一次送りとして２個のプラグイン開閉器を接続可能とした請求項１又は２に記載のプラグイン開閉器用の送り端子台。
【発明の詳細な説明】
【０００１】
【発明の属する技術分野】
本発明は、主幹からの一次送り、又は分岐開閉器を接続した母線バーからの二次送りに使用するプラグイン開閉器用の送り端子台に関するものである。
【０００２】
【従来の技術】
主幹からの一次送り等に使用するプラグイン開閉器用の送り端子台は、主幹開閉器の側部に主幹開閉器の一次側の片方の相（例えば、Ｌ１−Ｎ相）に接続した２枚の差込バーを上下に配設し、この差込バーの両端にプラグイン開閉器を向かい合わせて接続したものであった（例えば、特許文献１参照）。
【０００３】
【特許文献１】
特開２００２−３０５８１１（図６、図８）
【０００４】
【発明が解決しようとする課題】
ところが、前記したものは、主幹開閉器の一次側の片方の相（例えば、Ｌ１−Ｎ相）のみから電気の供給を受けていたため相バランスが崩れる虞がある。また、プラグイン開閉器を差込バーの両端に向かい合わせて接続しているため、主幹開閉器からの一次送りの配線とプラグイン開閉器の負荷側の配線が重なり配線作業がしずらい問題がある。
【０００５】
【課題を解決するための手段】
前記の課題を解決するためになされた本発明のプラグイン開閉器の送り端子台は、端子台本体にプラグイン開閉器を複数個並列に接続可能にするとともに、前記プラグイン開閉器の半数をＬ１―Ｎ相に残り半数をＬ２―Ｎ相の接続できるＮ相の差込バー、Ｌ１相の差込バー、Ｌ２相の差込バーを備えたことを特徴とするものを請求項１に記載の発明とし、この発明において、Ｎ相の差込バーを端子台本体の左右方向の全域に亘り配置し、Ｌ１相の差込バーとＬ２相の差込バーを左右に半分ずつに分け配置したものを請求項２に記載の発明とし、これらの発明において、主幹からの１次送りとして２個のプラグイン開閉器を接続可能としたものを請求項３に記載の発明とする。
【０００６】
このような本発明は、プラグイン開閉器を複数個並列に接続可能にしたものであるから、全プラグイン開閉器の負荷側端子部を主幹の二次側と並行に位置させることができるので、主幹からの一次送りの配線とプラグイン開閉器の負荷側の配線が重なり配線作業がしずらいという問題がないものである。また、プラグイン開閉器の半数をＬ１―Ｎ相に残り半数をＬ２―Ｎ相の接続できるＮ相の差込バー、Ｌ１相の差込バー、Ｌ２相の差込バーを備えたものであるから相バランスが崩れる虞もないものである。
【０００７】
【発明の実施の形態】
次に、本発明の実施の形態を図を参照して説明する。
１は端子台本体であり、該端子台本体１の前方には上部にＮ相の差込バー２１を中間部にＬ１相の差込バー２２を下部にはＬ２相の差込バー２３を配設してあり、一次プラグイン開閉器３を複数個並列に接続可能としている。この実施形態では、端子台本体１は左右方向の幅寸法を２個のプラグイン開閉器の幅と略同一とし、Ｎ相の差込バー２１を端子台本体１の上部に左右方向の幅全域に亘り配置し、Ｌ１相の差込バー２２を上下方向の中間部に差込バーの先端を前方に向けて右側半分に配置し、Ｌ２相の差込バー２３を下部に差込バーの先端を前方に向けて左側半分に配置しており、プラグイン開閉器の半数である一個をＬ１―Ｎ相に残り半数の一個をＬ２―Ｎ相の接続できるものとしている。
【０００８】
前記端子台本体１は前後方向の中央に前後隔壁板１１を設け、前方側を左右隔壁板１２により前方に向けて左側板１ａとの間に低段部１３を右側板１ｂとの間に中段部１４に形成し、また、前後隔壁板１１と左右隔壁板１２の上端面を上段部１５として、低段部１３にＬ２相の差込バー２３を、中段部１４にＬ１相の差込バー２２を、上段部１５にＮ相の差込バー２１を取り付けている。
【０００９】
また、端子台本体１の前後隔壁板１１の後方側は左右方向に２枚の縦仕切板１６、１６により３区分して左端子受台部１７ａ、中央端子受台部１７ｂ、右端子受台部１７ｃとして前記中段部１４と同一面となるように形成している。そして、左端子受台部１７ａに前記左側の低段部１３に取り付けたＬ２相の差込バー２３の基端に上向きに折曲形成した脚板部２３ｂに連設した端子板部２３ａを前後隔壁板１１に設けたスリット１１ａに挿通したうえ取り付け、また、右端子受台部１７ｃにこれと同一面である右側の中段部１４に取り付けたＬ１相の差込バー２２の基端に連設した端子板部２２ａを前後隔壁板１１に設けたスリット１１ｂに挿通したうえ取り付け、さらに、中央端子受台部１７ｂに上段部１５に取り付けたＮ相の差込バー２１の基端中央に下向きに折曲形成した脚板部２１ｂの下端後方連設した端子板部２１ａを該脚板部２１ｂを前後隔壁板１１の後面に添装したうえ取り付けている。これにより各差込バー２１、２２、２３の間は充分に絶縁されるものであり、また、左端子受台部１７ａにはＬ２相の差込バー２３の端子板部２３ａが、中央端子受台部１７ｂにはＮ相の差込バー２１の端子板部２１ａが、右端子受台部１７ｃにはＬ１相の差込バー２２の端子板部２２ａが配置されているので、端子台本体１を各受台部側が主幹すなわち主幹開閉器５の一次側と同じ側となるように設置した場合に主幹開閉器５の一次側の各相の端子配置と同じとなり対応関係が明確であり配線間違いが起きないものである。
【００１０】
また、Ｌ２相の差込バー２３とＬ１相の差込バー２２とはそれぞれ係止孔２３ｄ、２２ｄを形成してこれを前記低段部１３と中段部１４に設けた突起１３ａ、１４ａと係合させて前後方向の動きを規制させるとともに前記スリット１１ａ、１１ｂにより上下方向の動きを又左右方向の動きを左右隔壁板１２と左側板１ａ及び右側板１ｂにより規制している。また、Ｎ相の差込バー２１は仕切板１６、１６の上端の前端面１６ａ、１６ａにより後方への動きを規制して、前方への動きを前後隔壁板１１の後面に添装した脚板部２１ｂにより規制している。さらに、Ｎ相の差込バー２１は上方への動きを仕切板１６、１６の上端の前方に張設した庇部１６ｂ、１６ｂの下面に上面を当接させて規制している。
【００１１】
このように端子台本体１への各差込バー２１、２２、２３の組み付けは、ボルトなどの係止具を使用せずに行っているので各差込バー２１、２２、２３は端子台本体１にガタのある自由度をもって固定されているので先端側は僅かに上下方向に傾くことができるので、プラグイン開閉器３のプラグイン端子部を着脱する際のプラグイン端子部の傾に追従することができプラグイン開閉器３の接続作業を容易とすることができる。
【００１２】
また、端子台本体１は底面前方の下端に連設した掛鉤部１８を取付基台６に設けた係止孔６１に係合したうえ底面後方に突設した固定片１９をねじ止めして取り付けるものであり、該取付基台６の前方側に設けたプラグイン開閉器取付部６２にプラグイン開閉器３を取り付ける際の差込バーへ加わる力が強くても端子台本体１が浮き上がるような不都合はないものである。
【００１３】
このように構成されたものは、主幹である主幹開閉器５の側方に設置した取付基台６に端子台本体１をもって取り付けて、該端子台本体１に組付けた各差込バー２１、２２、２３の端子板部２１ａ、２２ａ、２３ａに主幹開閉器５からの一次送りの配線をして使用すれば、端子台本体１はプラグイン開閉器３を複数個並列に接続可能にするとともに、前記プラグイン開閉器３の半数をＬ１―Ｎ相に残り半数をＬ２―Ｎ相に接続できるＮ相の差込バー２１、Ｌ１相の差込バー２２、Ｌ２相の差込バー２３を備えているので、接続した複数のプラグイン開閉器３は半数ずつがＬ１―Ｎ相とＬ２―Ｎ相に接続することとなるので相バランスが崩れるという問題が生じないものである。また、端子台本体１はプラグイン開閉器３を複数個並列に接続可能にしたことにより、プラグイン開閉器３の負荷側の配線が主幹開閉器５からの一次送り配線と重なることがないので配線作業がしずらいという問題がないものであるうえプラグイン開閉器３のハンドルのオン、オフ方向が主幹開閉器５のハンドルと同一方向を向くのでオン、オフ状態の確認を取り違えるということもないものである。
【００１４】
また、Ｎ相の差込バー２１を端子台本体１の左右方向の全域に亘り配置し、Ｌ１相の差込バー２２とＬ２相の差込バー２３を左右に半分ずつに分け配置したものとすれば、Ｌ１―Ｎ相とＬ２―Ｎ相にプラグイン開閉器３を半数ずつ確実に接続でき、また、間違えて２００Ｖ用のＬ１―Ｌ２相の端子部としたプラグイン開閉器を接続しても通電されることがないので１００Ｖ用の一次送りの電気機器が故障するなど不都合はおきず、通電されないことにより直ちに１００Ｖ用のプラグイン開閉器に変更することができるものである。
【００１５】
なお、図示の実施形態では複数のプラグイン開閉器として２個を接続するものを表しているが、図９に示すように一次送りに使用する回路が１つのときは送り端子台のＬ２相とＬ１相の何れか一方の端子板部とＮ相の端子板部を主幹の一次側と接続して端子台本体１の片側に１個のプラグイン開閉器３のみを接続して使用してもよい。さらに、端子台本体１の左右方向の幅をプラグイン開閉器の４個分、６個分又はそれ以上の偶数個としてそれに応じて各差込バーの幅を広くして４、６個以上の偶数個のプラグイン開閉器を接続しても良いことは勿論である。
【００１６】
また、図示の実施形態は主幹である主幹開閉器５の一次送りにより説明したが、プラグイン開閉器を接続した母線バーにプラグイン開閉器を増設するためのスペースが無い場合において母線バーからの二次送りに使用して二次送り用プラグイン開閉器を増設するためにも使用できるものである。
【００１７】
【発明の効果】
以上の説明のとおり、本発明のプラグイン開閉器用の送り端子台は、プラグイン開閉器を複数個並列に接続可能にして、また、プラグイン開閉器の半数をＬ１―Ｎ相に残り半数をＬ２―Ｎ相の接続できるＮ相の差込バー、Ｌ１相の差込バー、Ｌ２相の差込バーを備えたものであるからたものであるから、プラグイン開閉器の負荷側端子部を主幹の二次側と並行に位置させることができるので、主幹からの一次送りの配線とプラグイン開閉器の負荷側の配線が重なり配線作業がしずらいという問題がないものであるうえ相バランスが崩れる虞もないものである。従って、本発明のプラグイン開閉器用の送り端子台は従来の問題点を解決したものとして、その益大なものである。
【図面の簡単な説明】
【図１】本発明の実施形態を示す斜視図である。
【図２】本発明の実施形態を分解して示す斜視図である。
【図３】本発明の実施形態の使用例を示す斜視図である。
【図４】取付基台への取付状態を示す背面側からの斜視図である。
【図５】取付基台への取付状態を示す下面側からの斜視図である。
【図６】主幹の一次送りとしてプラグイン開閉器を接続して示す斜視図である。
【図７】主幹に一次送りとしてプラグイン開閉器を接続して示す背面側からの斜視図である。
【図８】分電盤において主幹の一次送りとしての使用状態を示す正面図である。
【図９】分電盤において主幹の一次送りとしてプラグイン開閉器を１個接続した使用状態を示す正面図である。
【符号の説明】
１  端子台本体
２１  Ｎ相の差込バー
２２  Ｌ１相の差込バー
２３  Ｌ２相の差込バー
【図１】
2005019208.tif 000003
【図２】
2005019208.tif 000004
【図３】
2005019208.tif 000005
【図４】
2005019208.tif 000006
【図５】
2005019208.tif 000007
【図６】
2005019208.tif 000008
【図７】
2005019208.tif 000009
【図８】
2005019208.tif 000010
【図９】
2005019208.tif 000011